(57)【要約】【課題】  太陽電池を空調装置の電源として有効に利用できることに加えて、太陽電池パネルそれ自体を様々な付随的な効果を活用できるようにした展望用エレベータの空調装置を提供する。【解決手段】  空調装置１５の本体１６の上面および側面に太陽光発電装置の太陽電池パネル１８を取り付け、この太陽電池パネル１８が空調装置本体のカバーを兼用する構造にする。【選択図】  図２
2006176326.tif 000002
【特許請求の範囲】
【請求項１】
展望用エレベータの乗りかごの上に設置される空調装置において、
前記空調装置の本体の上面および側面に太陽光発電装置の太陽電池部を取り付け、前記太陽電池部が前記空調装置本体のカバーを兼用する構造を有することを特徴とする展望用エレベータの空調装置。
【請求項２】
前記空調装置本体の上面に取り付けられた太陽電池部は、本体から張り出して、空調装置本体の遮光カバーを兼用することを特徴とする請求項１に記載の展望用エレベータの空調装置。
【請求項３】
前記空調装置本体の上面に取り付けられた太陽電池部は、折りたたみ式のパネル構造を有することを特徴とする請求項２に記載の展望用エレベータの空調装置。
【請求項４】
前記太陽光発電装置は、乗りかごの外装照明用バッテリと接続され、前記太陽光発電装置を当該外装照明用バッテリとを外装照明の共通電源としたことを特徴とする請求項１に記載の展望用エレベータの空調装置。
【請求項５】
さらに、前記太陽光発電装置は、乗りかご内停電時の非常灯用バッテリと接続されていることを特徴とする請求項４に記載の展望用エレベータの空調装置。
【発明の詳細な説明】
【技術分野】
【０００１】
本発明は、展望用エレベータに係り、特に、太陽電池を電源とする展望用エレベータの空調装置に関する。
【背景技術】
【０００２】
図５は、従来の一般的なエレベータの乗りかごにおける空調装置の設置例を示す。図５において、参照番号１はかご枠、２は乗りかごである。従来のエレベータでは、乗りかご２の空調装置３は、かご枠１の上部枠に取り付けられており、冷風や温風をフレキシブルダクト４を通して天井から乗りかご２の内部に送り込んでいる。
【０００３】
空調装置３に供給する電力は、建物側から乗りかごにつながっている電送線５から供給される。電送線５の末端は乗りかご２の天井にあるかご上中継箱６まで延び、ここから配線７によって空調装置３と接続されている。
【０００４】
ところで、エレベータには、乗りかごに乗った乗客が外の景色を展望することができるようにした展望用エレベータがある。この展望用エレベータは、昇降路の外界側壁面をガラス等を用いて透明に構成し、乗りかごの方には展望窓が設けられている。展望用エレベータは、ホテルやショッピングセンターへ導入される例が増えている。
【０００５】
この種の展望用エレベータでは、乗りかごに太陽光を直接受けるので、太陽電池を空調装置の電源とするものがあり、その例としては、特許文献１に記載されている展望用エレベータの冷房システムを挙げることができる。
【特許文献１】実開平４−５６１８３号公報
【発明の開示】
【発明が解決しようとする課題】
【０００６】
しかしながら、特許文献１に開示されている太陽電池電源システムは、昇降路の壁面を太陽光の受光面とするために、建物自体と乗りかご自体の双方に太陽電池パネルを設置する方式である。
【０００７】
このため、太陽電池パネルを設置するには、建物の外壁に設置工事が必要となる。また、乗りかごに太陽電池パネルを設置すると、展望用エレベータの場合、太陽電池パネルは外から見えるため、乗りかごの意匠性が大きく損なわれるという問題がある。
【０００８】
そこで、本発明の目的は、前記従来技術の有する問題点を解消し、太陽電池を空調装置の電源として有効に利用できることに加えて、太陽電池パネルそれ自体を様々な付随的な効果を活用できるようにした展望用エレベータの空調装置を提供することにある。
【課題を解決するための手段】
【０００９】
前記の目的を達成するために、請求項１に係る発明は、展望用エレベータの乗りかごの上に設置される空調装置において、前記空調装置の本体の上面および側面に太陽光発電装置の太陽電池部を取り付け、前記太陽電池部が前記空調装置本体のカバーを兼用する構造を有することを特徴とすることを特徴とするものである。
【００１０】
請求項２に係る発明は、請求項１の発明において、前記空調装置本体の上面に取り付けられた太陽電池部は、本体から張り出して、空調装置本体の遮光カバーを兼用することを特徴とするものである。
【００１１】
また、請求項３に係る発明は、請求項１の発明において、前記空調装置本体の上面に取り付けられた太陽電池部は、折りたたみ式のパネル構造を有することを特徴とするものである。
【００１２】
さらに、請求項４に係る発明は、請求項１の発明において、前記太陽光発電装置は、乗りかごの外装照明用バッテリと接続され、前記太陽光発電装置を当該外装照明用バッテリとを外装照明の共通電源としたことを特徴とするものである。太陽光発電装置は、乗りかご内停電時の非常灯用バッテリと接続するようにしてもよい。
【発明の効果】
【００１３】
請求項１の発明によれば、空調装置に必要な電力を太陽電池部でまかなうことが可能で省エネルギー対策としても有効であり、しかも、従来のように、建物側から電力を供給してもらうための電源配線が不要となるとともに空調装置本体のカバーを兼ねるので意匠上の外観に悪影響がなくなる。
【００１４】
また、請求項２の発明によれば、太陽電池部を空調装置の本体の日よけカバーを兼用し、直射日光により遮光される領域を広くとっているので、温度上昇を抑制効果を高めることができる。
【００１５】
さらに、請求項３の発明によれば、メンテナンス時には、折り畳んでおけば、太陽電池部が邪魔にならず乗りかご上に作業スペースを確保することができる。
【発明を実施するための最良の形態】
【００１６】
以下、本発明による展望用エレベータの空調装置の一実施形態について、添付の図面を参照しながら説明する。  
第１実施形態  
図１は、本発明が適用される展望用エレベータを示す。参照番号１はかご枠、２は乗りかごである。建物の上階に機械室１０が設けられ、この機械室１０には巻上機１１が設置されている。昇降路１２の外界側の壁面１３は、透明なガラス等を用いて構成されている。また、乗りかご２には、大きなガラスパネル１４によって窓が構成されている。図１において、参照番号１５は、乗りかごの室内を冷暖房する空調装置を示す。
【００１７】
この空調装置１５の本体１６は、かご枠１の上部枠に取り付けられている。この本体１６の吹き出し口からは、フレキシブルダクト４が延び、乗りかご２の天井に取り付けられたチャンバー１７に接続されている。空調装置１５から吹き出された冷風や温風は、フレキシブルダクト４を流れてチャンバー１７から乗りかご２の内部に導入される。
【００１８】
図２は、本実施形態による空調装置１５を示す。この空調装置１５の電源には、太陽光発電装置が利用されている。太陽光発電装置は、複数枚の太陽電池パネル１８から構成されている。この場合、空調装置１５の本体１６の上面には、最もサイズの大きな太陽電池パネル１８が上面全面に亘って取り付けられており、本体１６の側面には、本体側の換気用フィルタ１９や、冷却ファン２０と干渉しないように、その残余の部分をカバーする大きさの太陽電池パネル１８が取り付けられている。これらの太陽電池パネル１８は、空調装置１５の運転に必要な電力を供給する電源装置を構成するとともに、空調装置１５の本体カバーを兼用する構造となっている。
【００１９】
以上のように構成される本実施形態によれば、夏の日差しの強い昼間の間は、展望用エレベーターが運転している間、乗りかご２内の冷房をするために必要な電力は、太陽電池パネル１８で太陽光の光エネルギーを電力に変えて、これを空調装置１５に供給する。展望用エレベータの場合、太陽光は、乗りかご２の天井に降り注ぐので冷房に必要な電力を太陽電池パネル１８でまかなうことが可能であり、従来のように、建物側から電力を供給してもらうための電源配線が不要となるとともに、省エネルギー対策としても有効である。
【００２０】
また、太陽電池パネル１８は、空調装置１５の本体１６のカバーを兼用するので、本体１６への直射日光を遮光し、温度上昇を抑制するともに、意匠的な観点から美観を損ねることを可及的にすくなくできる。
【００２１】
以上のような太陽電池パネル１８とともに、次のようなバッテリ装置と組み合わせるようにしてもよい。
【００２２】
図１において、乗りかご２には、外装照明３０が取り付けられ、この外装照明３０にに電力を供給するのが外装照明用バッテリ３１である。この外装照明用バッテリ３１は、太陽電池パネル１８に接続されている。
【００２３】
このように太陽電池パネル１８と外装照明用バッテリ３１を組み合わせることにより、昼間は、太陽電池パネル１８で発生した電気で外装照明用バッテリ３１に充電しながら外装照明３０の電源としても利用するとができる。夜間には、外装照明用バッテリ３１から外装照明３０に電力を供給することができ、外装照明３０の供給電力を建物側から取り入れることが不要となる。
【００２４】
さらに、図１に示すように、停電時に乗りかご内の照明として用いられる非常灯３３の電源として用いられる非常灯用バッテリ３４と太陽電池パネル１８を接続するようにしてもよい。これによれば、太陽電池パネル１８で発生した電気で非常灯用バッテリ３４に充電できるので、非常灯用バッテリ３４への充電電源としても利用することができる。
【００２５】
第２実施形態  
次に、図３は、本発明の第２実施形態による展望用エレベータの空調装置を示す。なお、図２の第１実施形態と同一の構成要素には、同一参照番号を付してその詳細な説明は省略する。
【００２６】
この第２実施形態では、太陽電池パネル２２を、空調装置１５の本体１６の上面に取り付ける点は、第１実施形態と同様であるが、第１実施形態よりも縦横の寸法がともに大きな太陽電池パネル２２を用いている。この太陽電池パネル２２は、外界側に寄った位置に周囲に張り出すように取り付け、太陽電池パネル２２によって遮光されて日陰となる領域を拡大するようにしている。
【００２７】
この第２実施形態によれば、太陽電池パネル２２を空調装置１５の本体１４の日よけカバーを兼用し、直射日光により遮光される領域を広くとっているので、温度上昇を抑制効果を高めることができる。
【００２８】
次に、図４は、図３の太陽電池パネル２２を、例えば３枚のパネル２２ａ、２２ｂ、２２ｃに分割し、ヒンジ２３を用いて一枚のパネルとして折り畳められるように連結されている。
【００２９】
このように太陽電池パネル２２を折り畳める構造とすることにより、エレベータの運転時には、図４に示すように太陽電池パネル２２を広げておき、空調装置１５の電源と日よけカバーとして利用し、メンテナンス時には、折り畳んでおけば、パネルが邪魔にならず乗りかご上に作業スペースを確保することができる。
【図面の簡単な説明】
【００３０】
【図１】本発明が適用される展望用エレベータの構成説明図。
【図２】本発明の第１実施形態による展望用エレベータの空調装置を示す斜視図。
【図３】本発明の第２実施形態による展望用エレベータの空調装置を示す斜視図。
【図４】本発明の第２実施形態の変形例による展望用エレベータの空調装置を示す斜視図。
【図５】従来のエレベータの構成説明図。
【符号の説明】
【００３１】
１  かご枠
２  乗りかご
４  フレキシブルダクト
１０  機械室
１１  巻上機
１２  昇降路
１５  空調装置
１６  空調装置本体
１８  太陽電池パネル
１９  換気用フィルタ
２０  冷却ファン
２２  太陽電池パネル
２３  ヒンジ
３０  外装照明
３１  外装照明用バッテリ
３３  非常灯
３４  非常灯用バッテリ
【図１】
2006176326.tif 000003
【図２】
2006176326.tif 000004
【図３】
2006176326.tif 000005
【図４】
2006176326.tif 000006
【図５】
2006176326.tif 000007